(57)【要約】【課題】使用性も維持しつつ省エネ性も実現した給湯機リモコンを提供すること。【解決手段】少なくとも給湯温度の設定を行う操作部（２、３、４）と、各種情報を表示する表示素子、前記表示素子を明るくするバックライト部からなる表示部１とを備え、前記バックライト部は、前記給湯温度を所定の温度以上に設定した時には、照度を一定レベルだけ低下させて点灯する構成としたことを特徴とする給湯機リモコンで、使用性も維持しつつ省エネ性も実現した給湯機リモコンを提供できる。【選択図】図１
2012102915.tif 000002
【特許請求の範囲】
【請求項１】
少なくとも給湯温度の設定を行う操作部と、各種情報を表示する表示素子、前記表示素子を明るくするバックライト部からなる表示部とを備え、前記バックライト部は、前記給湯温度を所定の温度以上に設定した時には、照度を一定レベルだけ低下させて点灯する構成としたことを特徴とする給湯機リモコン。
【請求項２】
給湯端末からの給湯停止から一定時間が経過したときに、前記バックライト部の明るさを切り替える構成としたことを特徴とする請求項１に記載の給湯機リモコン。
【請求項３】
前記バックライト部へ流す電流値を変更することで、前記バックライト部の明るさを切り替える構成としたことを特徴とする請求項１または２に記載の給湯機リモコン。
【請求項４】
前記バックライト部へ流す電流のＤＵＴＹ比を変更することで、前記バックライト部の明るさを切り替える構成としたことを特徴とする請求項１または２に記載の給湯機リモコン。
【請求項５】
前記請求項１〜４のいずれか１項に記載の給湯機リモコンを備えた給湯機。
【発明の詳細な説明】
【技術分野】
【０００１】
本発明は、カランやシャワーからの給湯や、風呂湯張り、風呂保温運転などを行う給湯機のリモコンおよびそれを備えた給湯機に関するものである。
【背景技術】
【０００２】
従来、この種の給湯機リモコンは、給湯機自身の高機能化によりリモコンでの表示項目が増えてきている。また、近年の省エネ志向の高まりにより省エネに関する情報を様々表示するようにもなって来た。このため、給湯機リモコンの表示部としては、様々な情報を表示するために大型化しつつ、ドット表示素子を備えて表示内容の充実が図られているものもある。
【０００３】
そして、表示部の視認性をより良くするために、表示素子を明るくするためのバックライト部を備え、給湯機を使用しているときはバックライト部を点灯して見やすくし、給湯機を使用していないときは、消費電力削減の目的で消灯させておくのが一般的である。
【０００４】
さらには、省エネ性の観点から人検出手段を使って給湯機リモコンの近くに人が居る時はバックライト部を点灯し、人が居ない時はバックライト部を消灯するといった給湯機リモコンもある（例えば、特許文献１参照）。
【０００５】
そして、給湯温度を所定温度以上の高温に設定した場合、カランやシャワーから出湯したときに予想外に熱いお湯が出てきて使用者が驚いてしまったり、また、突然の高温のお湯でやけどをしてしまったりなど、安全性の観点からも常に表示部のバックライト部を明るくして給湯機を使用していない時も給湯温度が高温に設定されていることを表示して使用者に注意を促しておく必要があった。
【先行技術文献】
【特許文献】
【０００６】
【特許文献１】特開平１１−２９４８４６号公報
【発明の概要】
【発明が解決しようとする課題】
【０００７】
しかしながら、給湯機は毎日使うもので、しかも家族構成によっては、給湯機を使用する時間帯も様々であることから、給湯機自身の電源をＯＮ／ＯＦＦせず常時ＯＮしているのが一般的であるが、前記従来の構成において、給湯温度を所定温度以上の高温に設定した場合、給湯機を使用していない時も表示部を明るくしているため、省エネ性の観点から課題があった。
【０００８】
本発明は上記課題を解決するもので、使用性も維持しつつ省エネ性も実現した給湯機リモコンを提供することを目的とする。
【課題を解決するための手段】
【０００９】
前記従来の課題を解決するために本発明の給湯機リモコンは、少なくとも給湯温度の設定を行う操作部と、各種情報を表示する表示素子、前記表示素子を明るくするバックライト部からなる表示部とを備え、前記バックライト部は、前記給湯温度を所定の温度以上に設定した時には、照度を一定レベルだけ低下させて点灯する構成としたことを特徴とするものである。
【００１０】
これにより、給湯温度を所定温度以上に設定した場合に、通常は消灯する条件の時に、バックライト部の明るさを一定レベルだけ暗くしながらも点灯させているので、消費電力を削減することができ、省エネ性を実現しつつも、常に使用者に注意を促すことができ、使用性を向上できる。
【発明の効果】
【００１１】
本発明によれば、使用性も維持しつつ省エネ性も実現した給湯機リモコンを提供できる。
【図面の簡単な説明】
【００１２】
【図１】本発明の実施の形態１における給湯機リモコンの外観図
【図２】本発明の実施の形態１における給湯機リモコンの制御のフローチャート
【図３】本発明の実施の形態１における給湯機リモコンの回路構成図
【図４】本発明の実施の形態２における給湯機リモコンの制御内容を示す図
【図５】本発明の実施の形態２における給湯機リモコンの制御のフローチャート
【発明を実施するための形態】
【００１３】
第１の発明は、少なくとも給湯温度の設定を行う操作部と、各種情報を表示する表示素子、前記表示素子を明るくするバックライト部からなる表示部とを備え、前記バックライト部は、前記給湯温度を所定の温度以上に設定した時には、照度を一定レベルだけ低下させて点灯する構成としたことを特徴とする給湯機リモコンである。
【００１４】
これによって、給湯温度を所定温度以上に設定した場合に、通常は消灯する条件の時に、バックライト部の明るさを一定レベルだけ暗くしながらも点灯させているので、消費電力を削減することができ、省エネ性を実現しつつも、常に使用者に注意を促すことができ、使用性を向上できる。
【００１５】
第２の発明は、第１の発明の給湯機リモコンで、給湯端末からの給湯停止から一定時間が経過したときに、前記バックライト部の明るさを切り替える構成としたことを特徴とするものである。
【００１６】
これによって、給湯温度を所定温度以上の高温に設定した場合は、カランやシャワーへ給湯している間はバックライト部は通常の明るさで点灯しているが、カランやシャワーを止めてから一定時間が経過した時にバックライト部の明るさを一定レベルまで暗くするので、使用者が給湯して使用している間は明るく、使用後は暗くなるので、省エネ性を実現できると共に、視認性を損なうこが無いと共に、通常は消灯している条件の時にバックライト部が点灯しているので常に使用者に注意を促すことができ、安全性も確保できるものであり、非常に使い勝手が良い給湯機リモコンを提供できる。
【００１７】
第３の発明は、特に、第１または第２の発明の給湯機リモコンにおいて、前記バックライト部へ流す電流値を変更することで、前記バックライト部の明るさを切り替える構成としたことを特徴とするものである。
【００１８】
これによって、バックライト部へ流す電流値を決めている電流制限抵抗の抵抗値を切り替えることで、バックライト部の明るさを切り替えることができるので、平易に構成でき、大きなコストアップすることも無く、安全性と省エネ性を両立した使い勝手の良い給湯機リモコンを実現できる。
【００１９】
第４の発明は、特に、第１または第２の発明の給湯機リモコンにおいて、前記バックライト部へ流す電流のＤＵＴＹ比を変更することで、前記バックライト部の明るさを切り替
える構成としたことを特徴とするものである。
【００２０】
これによって、バックライト部の明るさを切り替えるための新たな部品も必要なく、バックライト部に流す電流のＯＮ／ＯＦＦのＤＵＴＹ比を切り替えるだけで、バックライト部の明るさを切り替えることができるので、コストアップすることなく、安全性、省エネ性を両立した使い勝手の良い給湯機リモコンを提供できる。
【００２１】
以下、本発明の実施の形態について、図面を参照しながら説明する。なお、この実施の形態によって本発明が限定されるものではない。
【００２２】
（実施の形態１）
図１は本発明の実施の形態１における給湯機リモコンの外観図を示すものである。本実施の形態では、貯湯式ヒートポンプ給湯機を遠隔操作する給湯機リモコンとして実施例を説明する。
【００２３】
図１において、１は表示素子として液晶を使ったドット表示部であり各種設定データや給湯機の機能に関する表示や省エネや使い方に関するナビゲーション表示などを行う。そして、表示部１は液晶表示素子をより見易くするためにバックライト部を備え、給湯使用時や給湯機リモコン使用時はバックライトを点灯して、より表示内容を見易くし、給湯していない時や給湯機リモコンを使用していない時はバックライト部を消灯し、省エネ性を高める。
【００２４】
２はメニュースイッチであり設定メニューや各種情報の選択メニューの切り替えを行うためのスイッチで、３はアップスイッチ、４はダウンスイッチで各種設定のアップ／ダウンをしたりメニュー画面での項目選択をしたりするスイッチである。５は確定スイッチで、メニュースイッチ２とアップスイッチ３、ダウンスイッチ４で選んだ項目を決定するスイッチである。６はお知らせスイッチであり、給湯使用量や給湯機の貯湯タンクに残っているお湯の量や過去の省エネ度、お勧めの沸き上げモードを表示するスイッチである。
【００２５】
７は沸き増しスイッチであり、給湯機の貯湯タンクのお湯が少なくなったときに操作するスイッチで、８は通話スイッチであり、台所などに設置される第一の給湯機リモコンと浴室に設置される第二の給湯機リモコン間でインターホン機能を行うスイッチで、９は風呂自動スイッチであり、浴槽への自動湯張りを行うスイッチである。
【００２６】
図２は、本発明の実施の形態１における給湯機リモコンのバックライト部の制御の風呂チャートを示すものである。図３は、本発明の実施の形態１における給湯機リモコンのバックライト部の明るさを切り替える回路構成を示すものである。
【００２７】
以上のように構成された給湯機リモコンのバックライト部の切り替えについて、以下、その動作、作用を図１、図２、図３を用いて説明する。
【００２８】
表示部１には通常、図１のような表示をしており、アップスイッチ３、ダウンスイッチ４により給湯温度を切り替えることができる。当初の４０度表示からアップスイッチ３を操作するたびに４１、４２、４３、・・・と高くなる。使用者に給湯温度が高温であることを注意する必要のあるかどうかを判断する温度を５０度と設定する（ステップ１０）。給湯温度を４０度に設定していた場合、ステップ１０はＮｏへと進む。
【００２９】
カランやシャワーから給湯すると表示部１のバックライト部はトランジスタ２０とトランジスタ２１の両方をＯＮして点灯し（ステップ１２）、使用者が容易に給湯温度を確認することができる。そして、カランやシャワーからの給湯を止めてから５分経過すると（
ステップ１３）、表示部１のバックライト部はトランジスタ２０とトランジスタ２１をＯＦＦして消灯する（ステップ１４）。
【００３０】
従って、給湯していないときはバックライト部を消灯して省エネ性を達成しているものである。ここで、給湯温度をアップスイッチ３で上げて５０度以上の高温に設定すると（ステップ１０のＹｅｓ）、カランやシャワーから出湯したときに予想外に熱いお湯が出てきて使用者が驚いてしまったり、また、突然の高温のお湯でやけどをしてしまったり、などないようにバックライト部を常時点灯して注意を促す必要がある。
【００３１】
つまり、カランやシャワーから給湯すると（ステップ１５）、表示部１のバックライト部はトランジスタ２０とトランジスタ２１の両方をＯＮして点灯し（ステップ１６）、使用者が容易に給湯温度を確認することができる。
【００３２】
そして、カランやシャワーからの給湯を止めてから５分経過すると（ステップ１７）、表示部１のバックライト部はトランジスタ２０はＯＮのままで、トランジスタ２１をＯＦＦしてバックライト部を一定レベルだけ暗くする（ステップ１８）。
【００３３】
そして、再び、給湯したときは（ステップ１５）、トランジスタ２０とトランジスタ２１の両方をＯＮして明るくしてより見やすくすることができる。
【００３４】
使用していない時でもバックライト部を消灯していないので、表示素子の内容を確認できると共に、通常時の消灯状態とは異なるモードが存在するため、使用者に注意を促す効果も期待できる。
【００３５】
そして、トランジスタを両方共にＯＮしていた時よりもバックライト部分にかかる消費電力を削減できるので省エネ性も達成することができる。
【００３６】
また、給湯を止めてから一定時間経過後にバックライト部を暗くするかわりに、給湯機リモコンに赤外線センサーなどを使用した人感センサーを搭載し、給湯機リモコンの近くから人が居なくなったらバックライト部の明るさを切り替えるという構成にもできる。
【００３７】
この構成にすると、給湯機リモコンの周りから人が居なくなるとすぐバックライト部の明るさを切り替えることができるので、より省エネ性を達成することができる。
【００３８】
また、浴室でシャワーを使用して給湯した場合でも、台所に人が居ないと台所の給湯機リモコンは暗いままの設定になっており、無駄にバックライト部を明るくすることは無く、省エネ性を達成できる。
【００３９】
以上のように、給湯温度を高温に設定した場合でも、給湯を使用していない時にはバックライト部の電流値を切り替えて一定レベルだけ暗くするので、消費電力を抑えて省エネ性を達成できると共に、バックライト部を消灯していないので表示素子の内容を確認できると共に、通常時の消灯状態とは異なるモードが存在するため、使用者に注意を促す効果もある給湯機リモコンを提供できる。
【００４０】
（実施の形態２）
図４は、本発明の実施の形態２における給湯機リモコンの表示部１の明るさを切り替える制御シーケンスを示すものである。
【００４１】
図５は、本発明の実施の形態２における給湯機リモコンのバックライト部の制御の風呂チャートを示すものである。
【００４２】
本実施の形態では、貯湯式ヒートポンプ給湯機を遠隔操作する給湯機リモコンとして実施例を説明する。また、給湯機リモコンの外観図では図１と同じ構成である。
【００４３】
以上のように構成された給湯機リモコンの表示モードの切り替えについて、以下その動作、作用を図１、図４、図５を用いて説明する。
【００４４】
表示部１には通常、図１のような表示をしており、アップスイッチ３、ダウンスイッチ４により給湯温度を切り替えることができる。当初の４０度表示からアップスイッチ３を操作するたびに４１、４２、４３、・・・と高くなる。使用者に給湯温度が高温であることを注意する必要のあるかどうかを判断する温度を５０度と設定する（ステップ３０）。給湯温度を４０度に設定していた場合、ステップ３０はＮｏへと進む。
【００４５】
カランやシャワーから給湯すると表示部１のバックライト部はＤＵＴＹ＝１００％でＯＮして点灯し（ステップ３２）、使用者が容易に給湯温度を確認することができる。
【００４６】
そして、カランやシャワーからの給湯を止めてから５分経過すると（ステップ３３）、表示部１のバックライト部はＤＵＴＹ＝０％にして消灯する（ステップ３４）。従って、給湯していないときはバックライト部を消灯して省エネ性を達成しているものである。
【００４７】
ここで、給湯温度をアップスイッチ３で上げて５０度以上の高温に設定すると（ステップ３０のＹｅｓ）、カランやシャワーから出湯したときに予想外に熱いお湯が出てきて使用者が驚いてしまったり、また、突然の高温のお湯でやけどをしてしまったり、などないようにバックライト部を常時点灯して注意を促す必要がある。
【００４８】
つまり、カランやシャワーから給湯すると（ステップ３５）、表示部１のバックライト部はＤＵＴＹ＝１００％でＯＮして点灯し（ステップ３６）、使用者が容易に給湯温度を確認することができる。
【００４９】
そして、カランやシャワーからの給湯を止めてから５分経過すると（ステップ３７）、表示部１のバックライト部はＤＵＴＹ＝２５％までＯＮの比率を落とすことで、バックライト部を一定レベルだけ暗くする（ステップ１８）。
【００５０】
そして、再び、給湯したときは（ステップ３５）、ＤＵＴＹ＝１００％でＯＮして明るくして、より見やすくすることができる。
【００５１】
このように、使用していない時でもバックライト部を消灯していないので表示素子の内容を確認できると共に、通常時の消灯状態とは異なるモードが存在するため、使用者に注意を促す効果も期待できる。そして、ＤＵＴＹ＝１００％でバックライト部をＯＮしていた時よりもバックライト部分にかかる消費電力を削減できるので省エネ性も達成することができる。
【００５２】
以上のように、給湯温度を高温に設定した場合でも、給湯を使用していない時にはバックライト部のＯＮ／ＯＦＦするＤＵＴＹ比を切り替えて一定レベルだけ暗くするので、消費電力を抑えて省エネ性を達成できると共に、バックライト部を消灯していないので表示素子の内容を確認できると共に、通常時の消灯状態とは異なるモードが存在するため、使用者に注意を促す効果もある給湯機リモコンを提供できる。
【産業上の利用可能性】
【００５３】
以上のように、本発明にかかる給湯機リモコンは、高温設定時にバックライト部を一定
レベルだけ暗くする設定としているので、省エネ性を達成しつつも安全性も確保できるので、電気温水器やヒートポンプ式給湯機、ガス給湯機などの用途に適用できる。
【符号の説明】
【００５４】
１  ドット表示部
２  メニュースイッチ
３  ＵＰスイッチ
４  ＤＯＷＮスイッチ
５  確定スイッチ
６  お知らせスイッチ
７  沸き増しスイッチ
８  通話スイッチ
９  風呂自動スイッチ
【図１】
2012102915.tif 000003
【図２】
2012102915.tif 000004
【図３】
2012102915.tif 000005
【図４】
2012102915.tif 000006
【図５】
2012102915.tif 000007